(57)【要約】【課題】複列シールチェーンにあっては、端部の内リンクの間に、シールリングを介在して中間プレートを挿入する面倒で困難な作業が必要となる。【解決手段】両端部が、継手ピン２９で接続された中間プレート１７１，１７１となる有端複列シールチェーン１とする。中間プレート１７１に継手ピン２９を挿入して、その両端からシールリング１２、内リンク６２、シールリング１２、継手プレート２７を順次挿入して、クリップ３０で抜止め・係止する。【選択図】図１
2018003933.tif 000002
【特許請求の範囲】
【請求項１】
複列の内リンク及び外リンクが、前記外リンクのピンを前記内リンクのブシュに嵌挿して交互に連結され、かつ前記ブシュを前記内リンクの内プレートから所定量突出して、該突出部を囲むように配置したシールリングを、前記内リンクの前記内プレートと前記外リンクの外プレート又は中間プレートとの間に挟持した複列シールチェーンの継手装置において、
前記複列シールチェーンの長手方向両端は、幅方向に隣接して配置される前記内リンクの間に前記中間プレートが両端部に抜止め係合部を有する継手ピンにより連結されて配置され、
前記複列シールチェーンの前記内リンクの幅方向の複列の数をｎとし、ｎ個の前記内リンクと、２本の両端部に抜止め係合部を有する前記継手ピンと、４ｎ＋４個の前記シールリングと、前記外プレートに相当する４枚の継手プレートと、前記抜止め係合部に係合して前記継手プレートを前記継手ピンに係止する抜止め部材と、を１組として備えてなる、
ことを特徴とする複列シールチェーンの継手装置。
【請求項２】
前記複列シールチェーンは、２列シールチェーンであり、前記ｎは、２であり、
前記抜止め部材は、隣接する２本の前記継手ピンの前記抜止め係合部に亘って係合し、それぞれ前記１枚の継手プレートを係止するクリップである、
請求項１記載の複列シールチェーンの継手装置。
【請求項３】
複列の内リンク及び外リンクが、前記外リンクのピンを前記内リンクのブシュに嵌挿して交互に連結され、かつ前記ブシュを前記内リンクの内プレートから所定量突出して、該突出部を囲むように配置したシールリングを、前記内リンクの前記内プレートと前記外リンクの外プレート又は中間プレートとの間に挟持した複列シールチェーンの継手方法において、
前記複列シールチェーンの長手方向両端は、幅方向に隣接して配置される前記内リンクの間に前記中間プレートが両端部に抜止め係合部を有する継手ピンにより連結されて配置され、
前記複列シールチェーンの長手方向両端に位置する前記中間プレートに、両端部に抜止め係合部を有する前記継手ピンを挿入する工程と、
該挿入された１対の継手ピンにその両端側から前記シールリングを挿入する工程と、
前記１対の継手ピンに、その両端側から前記内リンクを挿入して、該内リンクの前記ブシュの突出部と前記中間プレートとの間に前記シールリングを挟む工程と、
前記１対の継手ピンに、その両端側から前記シールリングを挿入する工程と、
前記１対の継手ピンと該継手ピンに隣接する前記複列シールチェーンの端に配置された継手ピンとに亘って継手プレートを嵌挿して、幅方向両端部の該継手プレートを幅方向内側に押圧した状態で、抜止め部材を前記継手ピンの抜止め係合部に係合して前記継手プレートを係止する工程と、
を備えてなる複列シールチェーンの継手方法。
【請求項４】
１対の内プレートの両端部をブシュで結合した内リンクを幅方向複数個配列した内リンク列と、幅方向外側の外プレートの両端部をピンで連結すると共に該ピンに遊合した中間プレートを有する外リンク列とを、隣接する前記内リンクの間に前記中間プレートを挟んで前記ブシュに前記ピンを嵌挿して交互に連結し、かつ前記ブシュを前記内プレートから所定量突出し、該突出部を囲むようにして前記内プレートと前記外プレート又は中間プレートとの間にシールリングを介在して、前記ブシュと前記ピンとの間の軸受部に潤滑油を保持した複列シールチェーンにおいて、
長手方向両端に、両端部に抜止め係合部を有する継手ピンを介して前記内リンク列に連結された中間プレートが配置されてなる、
請求項１又は２に記載の継手装置又は請求項３に記載の継手方法で継ぐことが可能な複列シールチェーン。
【請求項５】
１対の内プレートの両端部をブシュで結合した内リンクを幅方向複数個配列した内リンク列と、幅方向外側の外プレートの両端部をピンで連結すると共に該ピンに遊合した中間プレートを有する外リンク列とを、隣接する前記内リンクの間に前記中間プレートを挟んで前記ブシュに前記ピンを嵌挿して交互に連結し、かつ前記ブシュを前記内プレートから所定量突出し、該突出部を囲むようにして前記内プレートと前記外プレート又は中間プレートとの間にシールリングを介在して、前記ブシュと前記ピンとの間の軸受部に潤滑油を保持した複列シールチェーンにおいて、
両端部に抜止め係合部を有する継手ピンが、前記ピンに代って４本連続して配置され、隣接する前記継手ピンにより前記外プレートに代って継手プレートが連結され、かつ前記継手ピンの前記抜止め係合部に抜止め部材が係合して前記継手プレートが前記継手ピンに係止されてなる、
請求項１又は２に記載の継手装置又は請求項３に記載の継手方法で継がれた無端状の複列シールチェーン。
【発明の詳細な説明】
【技術分野】
【０００１】
本発明は、幅方向複列にチェーンを並べかつピンとブシュとの間に潤滑油（グリース）を封入した複列シールチェーンに係り、詳しくはチェーンを無端状に連結する継手装置及び継手方法並びに複列シールチェーンに関する。
【背景技術】
【０００２】
一般に、ローラチェーンは、有端状のチェーンをスプロケットに巻掛け、その両端部を継手装置で連結して無端状として用いられる。継手装置は、１対のピンを植設したピンプレート（足立プレート）を有し、内リンクからなるローラチェーンの両端部のブシュに、シールリングを介在しながら上記ピンプレートのピンを挿入し、更に該ピンを外プレートからなる継手プレートに挿入した後、突出したピンの溝にクリップを係合することによりローラチェーンが無端状に連結される（例えば特許文献１参照）。
【０００３】
従来、複列チェーン、例えば２列チェーンにあっても足の長いピンプレートを用いて、該長いピンに、シールリングを介在しながら一方の内リンクのブシュ、中間プレート、他方の内リンクのブシュそして継手プレートを挿入して、突出したピンの溝にクリップを係合して連結される。
【先行技術文献】
【特許文献】
【０００４】
【特許文献１】特開２０１５−５２３４０号公報
【発明の概要】
【発明が解決しようとする課題】
【０００５】
シールチェーンにあっても、単列ローラチェーンは、継手プレートを押圧してシールリングを圧縮した状態でクリップを突出ピンの溝に係合することにより比較的容易にチェーンを継ぐことができる。
【０００６】
しかし、複列チェーン、例えば２列ローラチェーンは、一方のチェーンの両端内リンクを直列状に揃えてピンプレートのピンにシールリングを被嵌した状態でそのブシュに上記ピンを挿通し、更に該ピンの先端部にシールリングを介在した状態で中間プレートを置く。そして、該中間プレートの他側面にシールリングを介在して、起立状態にある他方のチェーンの両端内リンクを、一方のチェーンの両端内リンクに幅方向に整列するように倒すが、この際上記シールリングが干渉して困難な作業となり、薄板からなるガイド板を用いてシールリングの捩れを防止する等の面倒で時間のかかる作業を強いられる。更に該他方のチェーンの内リンクが一方のチェーンの内リンクと整列した状態で、上記ピンプレートのピンを他方のチェーンの内リンクのブシュに挿入して、シールリングを介在した状態で外プレートである継手プレートを上記ピンに差込み、突出したピンの溝にクリップを係合することにより、２列ローラチェーンの継ぎが完了する。
【０００７】
本発明は、上述した困難で面倒な作業を不要とし、もって上述した課題を解決した複列シールチェーンの継手装置、継手方法並びにそれを用いられる又は用いた複列シールチェーンを提供することを目的とするものである。
【課題を解決するための手段】
【０００８】
本発明は、例えば図１を参照して、複列の内リンク（６）及び外リンク（１０）が、前記外リンクのピン（９）を前記内リンク（６）のブシュ（３）に嵌挿して交互に連結され、かつ前記ブシュ（３）を前記内リンク（６）の内プレート（２）から所定量突出して、該突出部（３ａ）を囲むように配置したシールリング（１２）を、前記内リンク（６）の前記内プレート（２）と前記外リンク（１０）の外プレート（７）又は中間プレート（１７）との間に挟持した複列シールチェーン（１）の継手装置において、
前記複列シールチェーン（１）の長手方向両端は、幅方向に隣接して配置される前記内リンク（６１，６１）の間に前記中間プレート（１７１）が両端部に抜止め係合部（２９ａ）を有する継手ピン（２９）により連結されて配置され、
前記複列シールチェーン（１）の前記内リンク（６）の幅方向の複列の数をｎとし、ｎ個の前記内リンク（６２）と、２本の両端部に抜止め係合部（２９ａ）を有する前記継手ピン（２９）と、４ｎ＋４個の前記シールリング（１２）と、前記外プレート（７）に相当する４枚の継手プレート（２７）と、前記抜止め係合部（２９ａ）に係合して前記継手プレート（２２）を前記継手ピン（２９）に係止する抜止め部材（３０）と、を１組として備えてなる、
ことを特徴とする複列シールチェーンの継手装置（２０）にある。
【０００９】
好ましくは、前記複列シールチェーンは、２列シールチェーン（１）であり、前記ｎは、２であり、
前記抜止め部材は、隣接する２本の前記継手ピン（２９，２９）の前記抜止め係合部（２９ａ，２９ａ）に亘って係合し、それぞれ前記１枚の継手プレート（２７）を係止するクリップ（３０）である。
【００１０】
複列の内リンク（６）及び外リンク（１０）が、前記外リンク（１０）のピン（９）を前記内リンク（６）のブシュ（３）に嵌挿して交互に連結され、かつ前記ブシュ（３）を前記内リンク（６）の内プレート（２）から所定量突出して、該突出部（３ａ）を囲むように配置したシールリング（１２）を、前記内リンク（６）の前記内プレート（２）と前記外リンク（１０）の外プレート（７）又は中間プレート（１７）との間に挟持した複列シールチェーン（１）の継手方法において、
前記複列シールチェーン（１）の長手方向両端は、幅方向に隣接して配置される前記内リンク（６１，６１）の間に前記中間プレート（１７１）が両端部に抜止め係合部（２９ａ）を有する継手ピン（２９）により連結されて配置され（例えば図２参照）、
前記複列シールチェーン（１１）の長手方向両端に位置する前記中間プレート（１７１，１７１）に、両端部に抜止め係合部（２９ａ，２９ａ）を有する前記継手ピン（２９）を挿入する工程と（例えば図３参照）、
該挿入された１対の継手ピン（２９，２９）にその両端側から前記シールリング（１２，１２）を挿入する工程（例えば図４参照）と、
前記１対の継手ピン（２９，２９）に、その両端側から前記内リンク（６２，６２）を挿入して、該内リンクの前記ブシュの突出部（３ａ）と前記中間プレート（１７１）との間に前記シールリング（１２，１２）を挟む工程と（例えば図５参照）、
前記１対の継手ピン（２９，２９）に、その両端側から前記シールリング（１２，１２）を挿入する工程と（例えば図６参照）、
前記１対の継手ピン（２９，２９）と該継手ピンに隣接する前記複列シールチェーン（１）の端に配置された継手ピン（２９，２９）とに亘って継手プレート（２７，２７）を嵌挿して、幅方向両端部の該継手プレート（２７）を幅方向内側に押圧した状態で、抜止め部材（３０）を前記継手ピン（２９，２９）の抜止め係合部（２９ａ，２９ａ）に係合して前記継手プレート（２７）を係止する工程と（例えば図７参照）、
を備えてなる複列シールチェーンの継手方法にある。
【００１１】
例えば図１（ａ）を参照して、１対の内プレート（２，２）の両端部をブシュ（３，３）で結合した内リンク（６）を幅方向複数個配列した内リンク列（Ｒ１）と、幅方向外側の外プレート（７，７）の両端部をピン（９，９）で連結すると共に該ピンに遊合した中間プレート（１７）を有する外リンク列（Ｒ２）とを、隣接する前記内リンク（６，６）の間に前記中間プレート（１７）を挟んで前記ブシュ（３）に前記ピン（６）を嵌挿して交互に連結し、かつ前記ブシュ（３）を前記内プレート（２）から所定量突出し、該突出部（６ａ）を囲むようにして前記内プレート（２）と前記外プレート（７）又は中間プレート（１７）との間にシールリング（１２）を介在して、前記ブシュ（３）と前記ピン（９）との間の軸受部（１３）に潤滑油を保持した複列シールチェーン（１）において、
長手方向両端に、両端部に抜止め係合部（２９ａ）を有する継手ピン（２９）を介して前記内リンク列（６１，６１）に連結された中間プレート（１７１，１７１）が配置されてなる、前記継手装置又は前記継手方法で継ぐことが可能な複列シールチェーン（１）にある。
【００１２】
例えば図７を参照して、１対の内プレート（２，２）の両端部をブシュ（３，３）で結合した内リンク（６）を幅方向複数個配列した内リンク列（Ｒ１）と、幅方向外側の外プレート（７，７）の両端部をピン（９，９）で連結すると共に該ピンに遊合した中間プレート（１７）を有する外リンク列（Ｒ２）とを、隣接する前記内リンク（６，６）の間に前記中間プレート（１７）を挟んで前記ブシュ（３）に前記ピン（９）を嵌挿して交互に連結し、かつ前記ブシュ（３）を前記内プレート（２）から所定量突出し、該突出部（３ａ）を囲むようにして前記内プレート（２）と前記外プレート（７）又は中間プレート（１７）との間にシールリング（１２）を介在して、前記ブシュ（３）と前記ピン（９）との間の軸受部（１３）に潤滑油を保持した複列シールチェーン（１）において、
両端部に抜止め係合部（２９ａ，２９ａ）を有する継手ピン（２９）が、前記ピン（９）に代って４本連続して配置され、隣接する前記継手ピン（２９，２９）により前記外プレート（７）に代って継手プレート（２７）が連結され、かつ前記継手ピン（２９）の前記抜止め係合部（２９ａ）に抜止め部材（３０）が係合して前記継手プレート（２７）が前記継手ピン（２９）に係止されてなる、前記継手装置又は前記継手方法で継がれた無端状の複列シールチェーン（１１）にある。
【００１３】
なお、前記カッコ内の符号は、図面と対照するためのものであるが、これにより特許請求の範囲の構成に何等影響を及ぼすものではない。
【発明の効果】
【００１４】
本発明に係る継手装置は、継手リンク等の特別な部品を必要としない簡単な構成でもって、両端に中間プレートが継手ピンを介して内リンクに連結される複列シールチェーンを、内リンクの間にシールリングを介在して中間プレートを挿入する困難で面倒な作業を必要としないで、容易に無端状に継ぐことができる。
【００１５】
本発明に係る継手方法は、継手ピンの両端からシールリング、内リンク、シールリング、継手プレートを順次挿入して、抜止め部材により抜止め・係止する簡単な作業により、有端複列シールチェーンを無端状に容易に継ぐことができる。
【００１６】
３列以上の複列シールチェーンでは、２個の中間プレートの間に、シールリングを介在して内リンクを挿入する面倒な作業を必要とするが、２列複列チェーンにあっては、継手ピンの両端が各部品を順次挿入するだけの簡単な作業で足りる。なお、３列以上の複列チェーンでも、中間プレートは、継手ピンに遊合関係にあり、かつ板厚（幅方向長さ）も内リンクに比較して薄いので、中間プレートの間隔を拡げて比較的容易に内リンク及びシールリングを挿入することができる。
【００１７】
長手方向両端が、継手ピンを介して内リンクに連結されている中間プレートからなると、複列シールチェーンでありながら、容易に無端状に継ぐことができる。
【００１８】
本継手装置又は本継手方法により継がれた無端状の複列シールチェーンは、一部に継手ピンが４本連続して配置され、かつ該４本の継手ピンは、その両外側が２枚の継手プレートにより継がれるが、複列チェーンに基づく大きな伝達能力及び引張り強さを有し、かつシールチェーンに基づく耐摩耗性能（チェーン寿命）を有する。
【図面の簡単な説明】
【００１９】
【図１】（ａ）は本発明に係る継手装置により継がれるシールチェーンを示す一部断面した平面図。（ｂ）は上記継手装置を構成する部品を示す図。
【図２】継手装置により継がれる状態の複列シールチェーンを示す平面図。
【図３】継手装置により継がれる状態を示す平面図。
【図４】継手装置により継がれる状態を示す平面図。
【図５】継手装置により継がれる状態を示す平面図。
【図６】継手装置により継がれる状態を示す平面図。
【図７】継手装置により継がれた状態の複列シールチェーンを示す平面図。
【発明を実施するための形態】
【００２０】
以下、図面に沿って本発明の実施の形態について説明する。本実施の形態による２列（複列）シールチェーン１は、動力伝達用又は搬送用として用いられ、図１（ａ）に示すように、第１列のチェーン１ａ及び第２列のチェーン１ｂを共通するピンにより横方向に連結されて構成される。単列シールチェーンからなる各列のチェーン１ａ，１ｂは、それぞれ１対の内プレート２，２の両端をブシュ３，３で結合しかつ該ブシュ３にローラを回転自在に被嵌した内リンク６と、１対の外プレート７，７の両端部にピン９，９を連結した外リンク１０とを、ブシュ３にピン９を嵌挿して交互に連結して構成される。
【００２１】
前記ピン９は、第１及び第２列のチェーン１ａ，１ｂに共通に嵌挿する長いピンが用いられ、かつ両チェーンの間に位置する外プレートは、外側の１対の外プレート７により厚くかつその２枚の厚さより薄いか又は等しい板厚からなる中間プレート１７からなる。両チェーン１ａ，１ｂの外側の外プレート７，７は、そのピン孔にピン９が圧入又はカシメ、いわゆる締り嵌め（嵌合）により固定されており、中間プレート１７のピン孔１７ａは、ピン径より大きく設定され、ピン９に対して遊合関係にある。即ち、２列シールチェーン１１は、内リンク６が幅方向に複列（２列）配置された内リンク（ローラリンク）列Ｒ１と、外プレート７，７に固定されたピン９に中間プレート１７が遊合する外リンク列Ｒ２とからなり、中間プレート１７が幅方向に隣接する内リンク６，６の間に挟まれて、ブシュ３にピン９を嵌挿して上記内リンク列Ｒ１と外リンク列Ｒ２とが交互に連結されて構成される。
【００２２】
前記内リンク６は、ブシュ３が両内プレート２，２の外側面より所定量突出して結合されており、該ブシュ突出部３ａを囲むようにシールリング１２が配置される。該シールリング１２は、内プレート２と外プレート７又は中間プレート１７との間に所定圧縮状態で挟持され、ピン９とブシュ３との間の軸受部１３に塗布されたグリース（潤滑油）を保持する。
【００２３】
前記２列シールチェーン１は、図１（ａ）に示すように、１本の有端状からなり、該無端状に継がれていない状態では、両端部が内リンク６１，６１、そして中間プレート１７１からなる。チェーン両端部の内リンク６１，６１は、一方側はピン９がカシメられることにより隣接する外リンク１０に連結しているが、他方（先端）側は後述する継手ピン２９が挿入されており、該継手ピン２９に中間プレート１７１が連結されている。
【００２４】
これら両端の中間プレート１７１，１７１は、他の中間プレート１７と同様に、２列の単列チェーン１ａ，１ｂを組立てる際に同時に組付けられるので、シールリング１２が介在しても容易に組付けられる。なお、該内リンク６１の先端側継手ピン２９は、非使用状態にあっては、軸受部１３に塗布されたグリース等により抜落ちることはないが、仮止め治具等により内リンク６１に係止して仮止めしておいてもよい。
【００２５】
継手装置２０は、図１（ｂ）に示すように、２個の内リンク６２、２本の継手ピン２９、４枚の継手プレート２７、１２個のシールリング１２、４個のクリップ３０、その他グリースを詰めた袋からなり、これら部品が１組にまとめられて袋又は箱に収められている。
【００２６】
内リンク６２は、前記シールチェーン１に用いられる内リンク６と同じものが用いられる。即ち、ローラ５を遊嵌状態で支持したブシュが１対の内リンク２，２に結合されて構成される。継手ピン２９は、前記シールチェーン１に用いられるピン９と同じ径からなるが、該ピン９より若干長く構成され、かつ両端部に係合溝（抜止め用係合部）２９ａ，２９ａ及びその先端側にテーパ部２９ｂ，２９ｂが形成されている。継手プレート２７は、前記シールチェーン１の外プレート７と同じ外郭形状からなり、かつピン孔２７ａ，２７ａが僅かに大きな径からなる。即ち、外プレート７は、そのピン孔がピン９に対して締り嵌め（嵌合）となるようにピン径より僅かに小さくなっているが、継手プレート２７のピン孔２７ａは、継手ピン２９に対して遊合関係となるようにピン径より僅かに大きい。なお、最大許容張力を確保するために、継手プレート２７を上記外プレート７と同じものを用いてもよい。この場合、継手プレート２７は、継手ピン２９に圧入して取付けられる。
【００２７】
シールリング１２は、前記シールチェーン１のシールと同じものが用いられ、断面形状が円形のもの、リップを有するもの等どのような形状でも適用可能であるが、特に、特許第４７５６５３７号公報、特許第５４１５３１６号公報に示されるものが好適である。
【００２８】
クリップ３０は、弾性する鋼板からなり、１対の係合部３１，３２を有し、一方の係合部３１は、先拡がりとなっている長孔３３の端に形成され、他方の係合部３２は、外郭に向って拡がっている導入部３５と繋がっている。上記長孔３３及び導入部３５は、表面に向ってテーパ３３ａ，３５ａが形成されている。該クリップ３０は、上記形状（Ｍクリップ）に限らず、どのようなクリップでも適用可能であり、更に割ピン、スプリングピン等のクリップ以外の抜止め部材でも適用可能である。
【００２９】
ついで、図２〜図７に沿って、上記継手装置２０を用いた前記２列シールチェーン１の継手方法について説明する。２列シールチェーン１は、図２に示すように、その両端に位置する中間プレート１７１，１７１が対向するように置かれる。そして、図３に示すように、継手装置２０の継手ピン２９を、チェーン両端の各中間プレート１７１，１７１の先端側ピン孔に挿入する。なお、該中間プレート１７１，１７１の他方のピン孔には同じ抜止め係合部を有する継手ピン２９，２９により２列の内リンク６１，６１が連結されている。
【００３０】
ついで、図４に示すように、上記中間プレート１７１，１７１に挿入した継手ピン２９，２９のその両端側からそれぞれシールリング１２…（合計４個）を挿入して中間プレート１７１の両面に密接する。そして、図５に示すように、各継手ピン２９，２９に満遍なくグリースを塗布した状態で、これら２本の継手ピン２９，２９にそれぞれ両端側から内リンク６２，６２が挿入され、これら内リンク６２のブシュ突出部３ａ先端が上記シールリング１２，１２に当接して、これらシールリング１２は、内リンク６２のブシュ突出部３ａ及び中間プレート１７１の間に挟まれる。ついで、図６に示すように、継手部分に連なる４本の継手ピン２９…にそれぞれ端側からシールリング１２…（合計４個）を挿入して、各シールリング１２は、内リンク６２のブシュ突出部３ａに当接する。
【００３１】
図７に示すように、両外側の外プレートである４枚の継手プレート２７…を、連続する継手部分の４本の継手ピン２９…の１対にその両端から嵌挿する。そして、締め付け治具を用いて、両側から継手プレート２７，２７を押え付けた状態で、各継手プレート２７の外側で、各クリップ３０を隣接する２本の継手ピン２９の係合溝２９ａに係合する。この際、クリップ３０にテーパ３５ａ，３３ａがあると、該クリップ３０の係合部３２，３１を係合溝２９ａに係合する際、該クリップ３０にシールリング１２を押し付ける方向の力が作用してクリップの装着が容易となる。該クリップ３０の装着に際しての上記継手プレート２７のチェーン幅方向内側に向けての動きにより、各シールリング１２は、ブシュ３の突出部３ａの外周を囲むように捻転して、内プレート２と継手プレート２７又は中間プレート１７１との間に圧縮されて、軸受部１３のグリース（潤滑油）をシールする。
【００３２】
これにより、両端に中間プレート１７１，１７１が組付けられた有端２列シールチェーン１は、継手装置２０を用いてその両端部が継がれて、無端２列シールチェーン１１となる。この際、上記有端の２列シールチェーン１１には、その両端部が中間プレート１７１，１７２からなり、これら該中間プレートの先端側のピン孔に継手ピン２９を挿入し、これら継手ピン２９に、その両端からシールリング１２、内リンク６２、シールリング１２、継手プレート２７を順次挿入してクリップ３０を長手方向に隣接する１対の継手ピン２９に係止することにより、容易に無端状に継ぐことができる。
【００３３】
なお、複列シールチェーンが３列以上の場合、２個の中間プレートの間に、シールリングを介在して内リンクを挿入する必要があるが、中間プレートは、継手ピンに遊合関係にあり、かつ幅方向間隔である板厚は、内リンクの幅方向間隔より大幅に薄く、従来のようにチェーン両端の内リンクを拡げることに比して、容易に幅方向に拡げることができ、その間に内リンクをシールリングを介在して挿入することができる。
【００３４】
上述した実施の形態は、２列シールチェーンで説明したが、これに限らず、３列、４列等の複列シールチェーンに同様に適用可能である。また、中間プレート１７は、２枚の外プレートを重ねたものでもよい。ローラチェーンで説明したが、ローラを省いたブシュチェーンにも同様に適用可能である。
【００３５】
継手装置２０は、２列シールチェーン用であるため、内リンク６２が２個、シールリング１２が１２個であるが、ｎ列シールチェーンであれば、内リンクｎ個、シールリングが（４ｎ＋４）個となり、継手ピン２本、継手プレート４枚は同じである。
【符号の説明】
【００３６】
１      複列（２列）シールチェーン（有端）
１１    複列（２列）シールチェーン（無端）
２      内プレート
３      ブシュ
３ａ    突出部
６      内リンク
６１    両端部の内リンク
６２    継手用内リンク
７      外プレート
１２      シールリング
１３      軸受部
１７      中間プレート
１７１    両端の中間プレート
２０      継手装置
２７      継手プレート
２９      継手ピン
２９ａ    抜止め用係合部（溝）
３０      抜止め部材（クリップ）
Ｒ１      内リンク列
Ｒ２      外リンク列
【図１】
2018003933.tif 000003
【図２】
2018003933.tif 000004
【図３】
2018003933.tif 000005
【図４】
2018003933.tif 000006
【図５】
2018003933.tif 000007
【図６】
2018003933.tif 000008
【図７】
2018003933.tif 000009